(57)【要約】【課題】  ユーザに負担とならずに番組中の自分好みの部分を視聴することができる受信装置を提供する。【解決手段】  ＣＰＵは、ラジオ放送番組の曲名、アーティスト名の番組要素情報のうち選択された曲名とチャンネル番号からなるリスト画面１３０を作成し、音声受信画面１００として表示部に表示する。リスト画面１３０には、受信していない他のチャンネルの曲名のリストが表示されているので、希望する曲名のチャンネルを操作部を操作して選択することにより、その曲名の音楽を聴くことができる。【選択図】    図５
2007028227.tif 000002
【特許請求の範囲】
【請求項１】
現在放送されている複数の番組それぞれに関する番組要素情報を受信する受信部と、
前記受信部より受信した前記番組要素情報に基づいて、現在視聴している番組に関する要素情報を表示するとともに、現在視聴していない番組に関する要素情報を同時にリスト表示する表示部と、
前記表示部に表示されている要素情報リストを随時更新表示する表示制御部とを具備したことを特徴とする受信装置。
【請求項２】
前記受信部は、現在放送されている複数の音楽番組に関する前記番組要素情報を受信し、
前記表示部は、現在視聴している音楽番組に関する放送局、曲名、アーティスト名を含む要素情報を表示するとともに、現在視聴していない音楽番組に関する曲名、アーティスト名、番組名の要素情報のうち少なくとも一つをリスト表示し、
前記表示制御部は、前記リスト表示されている前記要素情報が更新された場合には、随時更新された要素情報に切り替え表示することを特徴とする請求項１に記載の受信装置。
【請求項３】
前記表示制御部は、リスト表示されている前記要素情報リストの中で、現在視聴している番組に対応する要素情報に対して所定のマーク表示を行うことを特徴とする請求項１に記載の受信装置。
【請求項４】
前記表示制御部は、前記曲名、前記アーティスト名、前記番組名のうち前記少なくとも一つを外部からの指示に基づいて選択して前記表示部にリスト表示させることを特徴とする請求項２に記載の受信装置。
【請求項５】
前記表示制御部は、前記表示部がリスト表示する前記要素情報を周期的に変更することを特徴とする請求項１に記載の受信装置。
【請求項６】
前記表示制御部部は、前記表示部に表示されている前記要素情報リストをスクロール表示することを特徴とする請求項１に記載の受信装置。
【請求項７】
前記受信部は、前記現在放送されている複数の番組のうち選択された番組の映像信号あるいは音声信号を受信することを特徴とする請求項１に記載の受信装置。
【発明の詳細な説明】
【技術分野】
【０００１】
本発明は、デジタル放送を受信する受信装置に関する。
【背景技術】
【０００２】
携帯容易なテレビ／ラジオ受信装置と、このような携帯用受信装置を対象とした放送システムが開発され、専用の番組放送も開始されている。このような受信装置は携帯容易とするため、小型化が図られている。
【０００３】
このような携帯用受信装置では、画面も小型化されているため、新聞に掲載されているように詳しい番組情報をすべて画面に表示することは難しく、自分好みの番組を見つけ難い。
【０００４】
かかる事情に鑑みて番組表全体における現在受信中の番組の位置が分かるようにしたデジタル放送受信機が提案されている（例えば、特許文献１参照。）。
【０００５】
このデジタル放送受信機は、電子番組表（ＥＰＧ：Electronic Program Guide）を表示するＥＰＧ画面において、映像表示エリアに現在受信中の番組の映像を表示し、ＥＰＧ表示エリアにタイトルからなるＥＰＧ番組情報を表示し、ミニマップ表示エリアに番組表全体における現在受信中の番組の位置を表示している。
【特許文献１】特開２００５−８０２８２号公報
【発明の開示】
【発明が解決しようとする課題】
【０００６】
しかし、従来のデジタル放送受信機によると、他のチャンネルについてはタイトルしか表示されないため、好みの曲が他局で放送されていてもそれに気が付かずに聞き逃すことがある。また、聞き逃さないようにチャンネルを頻繁に切り換えたり、新聞等の番組表を見たりするのは煩わしい。
【０００７】
従って、本発明の目的は、ユーザに負担とならずに番組中の自分好みの部分を視聴することができる受信装置を提供することにある。
【課題を解決するための手段】
【０００８】
本発明の一態様は、現在放送されている複数の番組それぞれに関する番組要素情報を受信する受信部と、前記受信部より受信した前記番組要素情報に基づいて、現在視聴している番組に関する要素情報を表示するとともに、現在視聴していない番組に関する要素情報を同時にリスト表示する表示部と、前記表示部に表示されている要素情報リストを随時更新表示する表示制御部とを具備したことを特徴とする受信装置を提供する。
【０００９】
前記受信部は、現在放送されている複数の音楽番組に関する前記番組要素情報を受信し、前記表示部は、現在視聴している音楽番組に関する放送局、曲名、アーティスト名を含む要素情報を表示するとともに、現在視聴していない音楽番組に関する曲名、アーティスト名、番組名の要素情報のうち少なくとも一つをリスト表示し、前記表示制御部は、前記リスト表示されている前記要素情報が更新された場合には、随時更新された要素情報に切り替え表示する構成とすることができる。
【００１０】
前記表示制御部は、リスト表示されている前記要素情報リストの中で、現在視聴している番組に対応する要素情報に対して所定のマーク表示を行う構成とすることができる。
【００１１】
前記表示制御部は、前記曲名、前記アーティスト名、前記番組名のうち前記少なくとも一つを外部からの指示に基づいて選択して前記表示部にリスト表示させる構成とすることができる。
【００１２】
前記表示制御部は、前記表示部がリスト表示する前記要素情報を周期的に変更する構成とすることができる。
【００１３】
前記表示制御部部は、前記表示部に表示されている前記要素情報リストをスクロール表示する構成とすることができる。
【００１４】
前記受信部は、前記現在放送されている複数の番組のうち選択された番組の映像信号あるいは音声信号を受信する構成とすることができる。
【発明の効果】
【００１５】
本発明によれば、ユーザに負担とならずに番組中の自分好みの部分を視聴することができる。
【発明を実施するための最良の形態】
【００１６】
以下、図面を参照しながら本発明の実施の形態について説明する。
【００１７】
（システムの構成）
図１は、本発明の実施の形態に係る受信システムの概略構成を示す。この受信システムは、地上に設置され、テレビ番組放送やラジオ番組放送などの複数のデジタル放送を送信可能な放送基地局２と、放送基地局２からの放送電波を宇宙空間に位置する放送衛星３を介して受信する受信装置１とから概略構成されている。
【００１８】
なお、図１は衛星放送を受信する場合の例を示したものであるが、本発明に係る受信装置１は、これに限らず、地上波放送を受信するもの、ケーブル等の伝送媒体を介して受信するもの、双方向で受信するものなどであってもよい。
【００１９】
受信装置１は、複数の放送の中から好みの番組を選択し、視聴することができるものであり、アンテナや電子回路等を内蔵した本体部４と、本体部４の上部にヒンジ部１ａによって開閉自在に設けられたラップトップ部５とを有する。
【００２０】
本体部４は、上面に各種のスイッチを備えた操作部６が設けられ、前面に、スピーカ７、ヘッドホン端子８、および後述するメモリーカードが挿入されるスロット９が設けられている。なお、スピーカ７およびヘッドホン端子８は、音声出力部を構成する。
【００２１】
ラップトップ部５は、液晶ディスプレイ，有機ＥＬディスプレイ等の表示部１９を備える。
【００２２】
ユーザがテレビ番組の視聴を望む場合には、表示部１９に番組画像が表示され、音声出力部から番組音声が発生する。また、ユーザがラジオ番組の聴取を望む場合には、音声出力部から番組音声が発生すると同時に、表示部１９には、放送中の番組や楽曲の内容に関する情報等が表示される。テレビ番組かラジオ番組かの選択は操作部６の操作によって行われる。
【００２３】
（受信装置１の内部構成）
図２は、受信装置１の内部構成を示すブロック図である。受信装置１は、アンテナ１１、チューナ１２、トランスポートストリーム（ＴＳ）データ分離部１３、ＣＰＵ１４、メモリーカードコントローラ１５、内部記憶部１６、デジタル・シグナル・プロセッサ（ＤＳＰ）１７、グラフィックコントローラ１８、表示部１９、Ｄ／Ａコンバータ２０および音声出力部２１を備える。
【００２４】
アンテナ１１は、放送基地局２より出力され、放送衛星３を介して送信される衛星放送番組に関する放送電波を受信するものであり、受信した放送電波を電気信号に変換してチューナ１２に送信する。
【００２５】
チューナ１２は、アンテナ１１より送信されたデジタル番組放送信号から必要なデータを選択し、ＴＳデータ分離部１３へと送信する。
【００２６】
ＴＳデータ分離部１３は、チューナ１２より受信したデジタル番組放送信号について、番組映像や番組音声に関する映像／音楽データと、ＥＰＧデータや管理データ等の管理情報データとに分離し、管理情報データをＣＰＵ１４に、映像／音声データをＤＳＰ１７に、それぞれ送信する。
【００２７】
ＣＰＵ１４は、受信装置１における各機能の制御を司るものであり、各構成部に対して信号を送信し、各種動作を実行させる。また、受信した管理情報データの内部記憶部１６への格納や読込等におけるデータの移動の制御を行う。
【００２８】
メモリーカードコントローラ１５は、外部記憶装置２３となるメモリーカード等を制御し、録画／録音した番組データの読み書きを行う。
【００２９】
内部記憶部１６は、受信装置１を駆動させるためにＣＰＵ１４に実行させるプログラムの格納や、当該プログラムに用いられる各種パラメータ、管理情報データ等の一時的な格納、録画／録音した番組データの格納のために用いられるものであり、具体的には、ＲＯＭ，ＲＡＭ，ＨＤＤなどが該当する。
【００３０】
ＤＳＰ１７は、ＴＳデータ分離部１３より受信した映像／音声データの演算処理を行う。そして、映像データをグラフィックコントローラ１８に、音声データをＤ／Ａコンバータに、それぞれ送信する。
【００３１】
グラフィックコントローラ１８は、ＤＳＰ１７より受信した映像データを、表示部１９で表示可能となるように処理をする。そして処理されたデータを表示部１９へ送信する。
【００３２】
表示部１９は、グラフィックコントローラ１８より受信した映像データをモニタ上に表示する。表示される画像は、衛星放送によるテレビ番組の画像や、音声番組に関する文字情報、受信装置１の機器設定に関する情報等である。
【００３３】
Ｄ／Ａコンバータ２０は、ＤＳＰ１７より受信した音声データを、デジタルデータからアナログデータに変換する。変換されたアナログ音声データは、音声出力部２１へ送信する。
【００３４】
音声出力部２１は、Ｄ／Ａコンバータ２０より受信したアナログ音声データを音声に変換し、出力を行うものであり、アンプ、スピーカ７、ヘッドホン端子８等を備える。
【００３５】
図３は、操作部６の詳細を示す。操作部６は、表面の上下左右に三角マーク６１ａ〜６１ｄを有するドーナツ状のカーソルボタン６０と、そのカーソルボタン６０の内側に配置された円形の決定ボタン６２と、細長形状のバックボタン６３、番組リストボタン６４、およびその他のボタン６５ａ〜６５ｄとを備える。カーソルボタン６０、決定ボタン６２、バックボタン６３および番組リストボタン６４については後述する。６５ａは、録音データの再生を停止するストップボタン、６５ｂは、データ情報サービスを表示させるボタン、６５ｃは、メモリーカードに記録されているメモのリストを表示させるボタン、６５ｄは、クイックメニューと設定メニューを表示させるクイック／設定ボタンである。
【００３６】
（受信装置の動作）
次に、受信装置１の動作を図１〜図７を参照して説明する。
【００３７】
図４は、デジタル番組放送信号の流れを示す。放送基地局２から送信されたテレビ番組およびラジオ番組の放送電波が放送衛星３を介して受信装置１に到達する。受信装置１は、放送基地局２からの放送電波をアンテナ１１で受信する。アンテナ１１が受信する放送電波には、ＥＰＧデータ、ｎチャンネルの音声データ（または映像データ）および管理データ等からなるデジタル番組放送信号が含まれる。なお、同図では、映像データは図示を省略している。
【００３８】
ユーザは、操作部６の番組リストボタン６４を押下し、視聴を希望するテレビ番組あるいはラジオ番組を選択する。ここでは、ラジオ番組を選択したとする。
【００３９】
チューナ１２は、アンテナ１１により受信したデジタル番組放送信号のうち、ＥＰＧデータ、操作部６により選択されたチャンネル（例えば、チャンネル２）の音声データ、ｎチャンネルの管理データをＴＳデータ分離部１３に出力する。
【００４０】
ＴＳデータ分離部１３は、チューナ１２からのデジタル番組放送信号を、音声データとＥＰＧデータおよび管理データからなる管理情報データとに分離し、音声データをＤＳＰ１７に送信し、管理情報データをＣＰＵ１４に渡す。
【００４１】
ＣＰＵ１４は、管理情報データを内部記憶部１６に記憶するとともに、管理情報データに基づいて音声受信画面を作成する。また、ＣＰＵ１４は、内部記憶部１６に記憶された管理情報データを一定時間（例えば数秒）毎に更新するようにしている。ある一つのチャンネルを視聴しているときでも、デジタル番組放送信号は常時受信しているので、視聴しているチャンネル以外のデジタル番組放送信号もリアルタイムで取得し、内部記憶部１６が記憶する管理情報データを随時更新することができる。
【００４２】
（１）音声受信画像の作成
図５は、音声受信画像の作成を説明するための図である。ＣＰＵ１４が受け取る管理情報データには、チャンネル番号，放送局名，番組名，放送時間，ジャンル等の番組情報と、演奏開始時間，曲名，アーティスト名等の項目からなる番組要素情報とからなる。ＣＰＵ１４は、図５（ａ）に示すように、チャンネル毎にチャンネル番号，番組名，ジャンル，演奏開始時間や、曲名，アーティスト名（楽曲情報）等の管理情報データを内部記憶部１６から読み出し、図５（ｂ）に示すような音声受信画面を作成し、表示部１９に表示する。
【００４３】
図５（ｂ）は、その音声受信画面の一例を示す。この音声受信画面１００には、上方から順に、選択項目表示エリア１１０、受信中表示エリア１２０、リスト画面１３０、および操作案内部１４０が表示される。
【００４４】
選択項目表示エリア１１０には、選択した曲名，アーティスト名等の項目１１１と、現在時刻１１２が表示される。項目の選択の詳細については後述する。
【００４５】
受信中表示エリア１２０は、受信中のチャンネルに係る管理情報データが表示されるエリアである。受信中表示エリア１２０に表示される管理情報データには、チャンネル番号、放送局名、曲名、アーティスト名等が含まれる。
【００４６】
リスト画面１３０には、受信中のチャンネルを含む所定数のチャンネルの管理情報データ、画面１３０の中央に固定して設けられたカーソル１３１、および受信中であることを示す受信中マーク１３２が表示されている。同図に示す場合は、チャンネル（００２）が選択され、その管理情報データが受信中表示エリア１２０に表示され、７チャンネル（０２９、０３０、００１〜００５）の管理情報データがリスト画面１３０に表示されている状態を示している。
【００４７】
また、リスト画面１３０に表示される管理情報データは、図５（ｂ）の場合は、チャンネル番号と曲名である。また、リスト画面１３０に表示される管理情報データは、カーソルボタン６０の操作によりスクロールさせ、画面１３０に入りきらない管理情報データも表示させて確認することができる。
【００４８】
操作案内部１４０には、受信チャンネルの選択１４１、表示モードの表示切換１４２、選択した受信チャンネルの決定１４３、および前回選択したチャンネルに戻すキャンセル１４３が表示されている。これらの表示に対応する操作部６のボタンを操作することにより、それぞれの機能が実行される。
【００４９】
（２）選曲
図６（ａ），（ｂ）は、選曲を説明するための図である。操作案内部１４０の選択１４１に対応して図３のカーソルボタン６０の上下の三角マーク６１ａ，６１ｂの部分を押下することにより、リスト画面１３０を上下にスクロールさせ、カーソル１３１に所望の受信チャンネルを位置させた後、決定１４３に対応する決定ボタン６２を押下することにより、所望の受信チャンネルを選択し、受信することができる。例えば、受信中のチャンネル（００２）をチャンネル（００５）に切り換える場合、カーソルボタン６０を操作して図６（ａ）に示すようにリスト画面１３０を上方へスクロールさせてカーソル１３１の位置にチャンネル（００５）を移動させ、決定ボタン６２を押下する。すると、図６（ｂ）に示すように、受信中マーク１３２がチャンネル（００５）に移動し、受信中表示エリア１２０にチャンネル（００５）の管理情報データが表示され、音声出力部２１からチャンネル（００５）の番組音声が発生する。
【００５０】
（３）表示項目の切り換え
図７（ａ），（ｂ）は、表示項目の切り換えを説明するための図である。表示切換１４２に対応するカーソルボタン６０の左右の三角マーク６１ｃ，６１ｄの部分を押下することにより、リスト画面１３０に表示する項目を切り換えるものであり、曲名、アーティスト名、番組名、次番組名等の項目から選択することができる。アーティスト名に切り換えると、図７（ａ）に示すような表示内容となり、番組名に切り換えると、図７（ｂ）に示すような表示内容となる。項目を切り換えると、選択項目表示エリア１１０の項目１１１も変更される。なお、項目の切り換えは、上記のようなマニアルの他、周期的に例えば数秒間隔で自動的に切り換えてもよい。これにより、切り換え操作を不要にすることができる。
【００５１】
（実施の形態の効果）
本実施の形態によれば、ある一つのチャンネルの放送を受信中でも、受信中以外の他のチャンネルで放送されている曲名やアーティスト名が分かるので、好みの曲が他局で放送されていることを知らずに聞き逃すことがなくなる。また、デジタル放送の音声受信チャンネルでは、一応ジャンル分けされており、好みのジャンルのチャンネルを選ぶことができるが、番組の内容によっては、複数のチャンネルで同様のジャンルの放送がされることもあり、好みのアーティストなどにより、チャンネル切換えを行うと、そこでは、より自分の好みの番組を聞くことができる可能性がある。
【００５２】
（他の音声受信画面）
図８は、音声受信画面の他の例を示す。図８に示す音声受信画面は、図５〜図７に示すものとは、リスト画面１３０が異なり、他は同様に構成されている。図８のリスト画面１３０に表示される管理情報データは、曲名とアーティスト名である。この例では、４チャンネル分の情報を一度に表示している。また、リスト画面１３０は、常時受信している情報により、随時、曲名、アーティスト名が更新される。
【００５３】
このような音声受信画面を表示することにより、他のチャンネルの曲名およびアーティスト名が同時に確認できるため、ユーザは、現在の音楽番組を聴きながら他のチャンネルで、どの様な曲を誰が歌っているかが容易に確認することができる。
【００５４】
なお、本発明は、上記実施の形態に限定されず、発明の趣旨を逸脱しない範囲内において種々変形実施が可能である。例えば、上記実施の形態では、ラジオ放送番組について説明したが、テレビ放送番組についても本発明は同様に適用することができる。
【図面の簡単な説明】
【００５５】
【図１】本発明の実施の形態に係る受信システムの概略構成を示す図である。
【図２】本発明の実施の形態に係る受信装置の内部構成を示すブロック図である。
【図３】操作部の詳細を示す平面図である。
【図４】デジタル番組放送信号の流れを示す図である。
【図５】（ａ），（ｂ）は、音声受信画面の作成を説明するための図である。
【図６】（ａ），（ｂ）は、選曲を説明するための図である。
【図７】（ａ），（ｂ）は、表示項目の切り換えを説明するための図である。
【図８】音声受信画面の他の例を示す図である。
【符号の説明】
【００５６】
１  受信装置
１ａ  ヒンジ部
２  放送基地局
３  放送衛星
４  本体部
５  ラップトップ部
６  操作部
７  スピーカ
８  ヘッドホン端子
９  スロット
１１  アンテナ
１２  チューナ
１３  ＴＳデータ分離部
１５  メモリーカードコントローラ
１６  内部記憶部
１８  グラフィックコントローラ
１９  表示部
２０  コンバータ
２１  音声出力部
２２  外部記憶装置
６０  カーソルボタン
６１ａ〜６１ｄ  三角マーク
６２  決定ボタン
６３  バックボタン
６４  番組リストボタン
６５ａ〜６５ｄ  その他のボタン
１００  音声受信画面
１１０  選択項目表示エリア
１１１  項目
１１２  現在時刻
１２０  受信中表示エリア
１３０  リスト画面
１３１  カーソル
１３２  受信中マーク
１４０  操作案内部
１４１  選択
１４２  表示切換
１４３  キャンセル
１４３  決定
【図１】
2007028227.tif 000003
【図２】
2007028227.tif 000004
【図３】
2007028227.tif 000005
【図４】
2007028227.tif 000006
【図５】
2007028227.tif 000007
【図６】
2007028227.tif 000008
【図７】
2007028227.tif 000009
【図８】
2007028227.tif 000010